(57)【要約】【課題】臀部側の吸収可能量及び逆戻り防止性を向上させる。【解決手段】上記課題は、吸収体２３Ａ，２３Ｂは、高吸収性ポリマー粒子を含むパルプ繊維の集合体である下層吸収体２３Ｂと、その表側に設けられた、高吸収性ポリマー粒子を含むパルプ繊維の集合体である上層吸収体２３Ａとからなり、股間部Ｃを含む前後方向ＬＤの中間領域に、上層吸収体２３Ａのみ又は上層吸収体２３Ａ及び下層吸収体２３Ｂを厚み方向に貫通する所定幅のスリット４０が前後方向ＬＤに延びており、吸収体２３Ａ，２３Ｂにおけるスリット４０の後方隣接部分に、スリット４０の前方隣接部分よりも高い堰部３０が設けられ、上層吸収体２３Ａにおけるパルプ繊維に対する高吸収性ポリマー粒子の重量比率が、下層吸収体２３Ｂにおけるパルプ繊維に対する高吸収性ポリマー粒子の重量比率よりも高い、ことを特徴とする使い捨ておむつにより解決される。【選択図】図６
2019024931.tif 000002
【特許請求の範囲】
【請求項１】
股間部と、股間部の前側及び後側にそれぞれ延出する前側部分及び後側部分とを有しており、
前側部分から後側部分にかけて設けられた吸収体を有している、使い捨ておむつにおいて、
前記吸収体は、高吸収性ポリマー粒子を含むパルプ繊維の集合体である下層吸収体と、その表側に設けられた、高吸収性ポリマー粒子を含むパルプ繊維の集合体である上層吸収体とからなり、
前記股間部を含む前後方向の中間領域に、上層吸収体のみ又は上層吸収体及び下層吸収体を厚み方向に貫通する所定幅のスリットが前後方向に延びており、
前記吸収体における前記スリットの後方隣接部分に、前記スリットの前方隣接部分よりも高い堰部が設けられており、
前記上層吸収体におけるパルプ繊維に対する高吸収性ポリマー粒子の重量比率が、前記下層吸収体におけるパルプ繊維に対する高吸収性ポリマー粒子の重量比率よりも高い、
ことを特徴とする使い捨ておむつ。
【請求項２】
前記スリットは前記上層吸収体のみに形成され、前記下層吸収体には前記スリットと重なる領域にスリット又は凹部を有しない、請求項１記載の使い捨ておむつ。
【請求項３】
前記スリット内の後端部に、前記下層吸収体よりも高吸収性ポリマー粒子の重量比率が低いパルプ繊維の集合体からなる流速低下体が設けられている、
請求項１又は２記載の使い捨ておむつ。
【請求項４】
前記上層吸収体におけるパルプ繊維に対する高吸収性ポリマー粒子の重量比率が４０〜６０％であり、
前記下層吸収体におけるパルプ繊維に対する高吸収性ポリマー粒子の重量比率が２０〜３０％であり、
前記堰部の高さが３〜５ｍｍである、
請求項１〜３のいずれか１項に記載の使い捨ておむつ。
【請求項５】
前記堰部の面積は、前記上層吸収体における前記スリットよりも後方部分の面積の５０％以上である、
請求項１〜４のいずれか１項に記載の使い捨ておむつ。
【請求項６】
前記堰部は、スリット配置領域の側方にも設けられている、
請求項１〜５のいずれか１項に記載の使い捨ておむつ。
【発明の詳細な説明】
【技術分野】
【０００１】
本発明は、表面における臀部側への液流れを低減し、臀部側の吸収可能量及び逆戻り防止性を向上させた使い捨ておむつに関するものである。
【背景技術】
【０００２】
使い捨ておむつにおいて要求される代表的な吸収性能の一つは吸収可能量であろう。通常、吸収可能量は製品の用途に応じて決定される。例えば夜間使用を想定した製品、特に成人用の夜間用製品は、一般に吸収可能量が多い製品である。このような製品では、吸収可能量を確保するために、図１７及び図１８に示す例のように吸収体２３Ａ，２３Ｂを上下二層構造としたものが多い。
【０００３】
しかし、吸収性物品の吸収体は、図１９に示すようにパルプ繊維２３ｆと高吸収性ポリマー粒子２３ｐを混合し集積したものが一般的であり、このような吸収体２３Ａ，２３Ｂの吸収時には、同図中に吸収状態の変化を示すように、表側に位置する高吸収性ポリマー粒子２３ｐほど先に吸収膨張し、下側への液透過性が低下する「ゲルブロッキング」が発生し、尿等の液分が吸収体２３Ａ，２３Ｂの下側に浸透しにくくなる。このようなゲルブロッキングが発生すると、吸収体２３Ａ，２３Ｂの吸収が飽和して吸収可能量が減少した状態と同じになり、吸収体２３Ａ，２３Ｂの下側に吸収余力があるにもかかわらず、逆戻りしやすい状態となる。逆戻りとは、おむつの表面から内部の吸収体２３Ａ，２３Ｂに一度吸収した尿が再びおむつ表面に戻り出てくる現象であり、逆戻りしやすいと、不必要に肌が排泄物で汚れ、肌トラブルが発生しやすくなるといった問題を引き起こすものである。なお、いうまでもないが、図１９では、高吸収性ポリマー粒子２３ｐの含有比率や吸収膨張変化を分かりやすくするために、高吸収性ポリマー粒子２３ｐの大きさを誇張して示している。
【０００４】
吸収体を上下二層構造とした製品でゲルブロッキングを回避する一つの手法は、図１７及び図１８に示す例のように、吸収体２３Ａ，２３Ｂの少なくとも上層吸収体２３Ａを厚み方向に貫通するスリット４０を、股間部を含む前後方向の中間領域に前後方向に沿って延在させることである。この場合、スリット４０により前後方向の尿の拡散性が高くなり、かつスリット４０を介して下層吸収体２３Ｂに対しても直接的に尿を吸収させることができるため、尿が吸収体２３Ａ，２３Ｂの前後方向及び厚み方向に素早く拡散して吸収され、ゲルブロッキングによる逆戻りが発生にしにくくなる。
【０００５】
しかし、このようなスリット４０による解決策には、次のような問題点が残されていた。すなわち、就寝時等に装着者が仰臥位で排尿すると、スリット４０に向かう傾斜及び臀部側へ向かう傾斜により、スリット４０内に尿が集まりやすく、かつスリット４０内の尿は、図１８に尿の流れを白抜き矢印で示すように障壁なく後方へ流下し、スリット４０の後部に集中する。このとき、スリット４０の後部における吸収面積及び吸収速度は限られており、一部の尿はスリット４０から臀部側へあふれ出て、臀部側の表面から吸収体２３Ａ，２３Ｂに吸収される結果、前述のメカニズムにより臀部側で吸収可能量が低下し、逆戻りしやすい状態となってしまうのである。
【先行技術文献】
【特許文献】
【０００６】
【特許文献１】特開２０１６−９３２１２号公報
【特許文献２】特開２０１２−１０９５１号公報
【発明の概要】
【発明が解決しようとする課題】
【０００７】
そこで、本発明の主たる課題は、臀部側の吸収可能量及び逆戻り防止性を向上させた使い捨ておむつを提供することにある。
【課題を解決するための手段】
【０００８】
上記課題を解決した各種態様は次のとおりである。
＜第１の態様＞
股間部と、股間部の前側及び後側にそれぞれ延出する前側部分及び後側部分とを有しており、
前側部分から後側部分にかけて設けられた吸収体を有している、使い捨ておむつにおいて、
前記吸収体は、高吸収性ポリマー粒子を含むパルプ繊維の集合体である下層吸収体と、その表側に設けられた、高吸収性ポリマー粒子を含むパルプ繊維の集合体である上層吸収体とからなり、
前記股間部を含む前後方向の中間領域に、上層吸収体のみ又は上層吸収体及び下層吸収体を厚み方向に貫通する所定幅のスリットが前後方向に延びており、
前記吸収体における前記スリットの後方隣接部分に、前記スリットの前方隣接部分よりも高い堰部が設けられており、
前記上層吸収体におけるパルプ繊維に対する高吸収性ポリマー粒子の重量比率が、前記下層吸収体におけるパルプ繊維に対する高吸収性ポリマー粒子の重量比率よりも高い、
ことを特徴とする使い捨ておむつ。
【０００９】
（作用効果）
本態様では、就寝時等に装着者が仰臥位で排尿した場合のように、スリット内の尿が障壁なく後方へ流下し、スリットの後部に集中したとしても、スリットの後方隣接部分に堰部が設けられているため、尿がスリット内から臀部側へあふれ出にくくなる。ただし、スリット内の尿の吸収速度が上層吸収体よりも下層吸収体の方が遅いと、尿がスリット内に溜まりやすくなるため、このような状況下ではスリット後方に高い堰部を設けたとしても、あふれ防止効果は低下する。これに対して、本態様ではスリット内の尿が下層吸収体により直接的に吸収されるとともに、下層吸収体の吸収速度が上層吸収体よりも速い（高吸収性ポリマー粒子の含有比率が低い方が吸収速度が速い）ため、スリットの後方隣接部分に堰部を有することと相まって、あふれ防止効果が低下しにくく、臀部側の吸収可能量及び逆戻り防止性がより一層向上するものとなる。
なお、用語「スリット」とは吸収体の表裏に貫通する貫通部を意味する。また、スリットに関して「所定幅の」とは、隙間の幅が無い（対向する側壁が接触する）凹溝やスリットを含まない意味に過ぎず、幅が一定であることを意味するものではなく、したがって幅を有する限り、幅が変化する凹溝やスリットも含む意味である。
【００１０】
＜第２の態様＞
前記スリットは前記上層吸収体のみに形成され、前記下層吸収体には前記スリットと重なる領域にスリット又は凹部を有しない、第１の態様の使い捨ておむつ。
【００１１】
（作用効果）
スリットは上層吸収体のみに形成され、下層吸収体にはスリットと重なる領域にスリット又は凹部を有しない方が吸収量を確保する上では好ましい。しかし、このようにスリットの深さが上層吸収体の厚さのみで決まる場合、スリットの深さが浅くなりやすいため、前述のように、スリットの後方隣接部分の高さを高くし、下層吸収体における高吸収性ポリマー粒子の重量比率を上層吸収体のそれよりも低くすることが好ましい。
【００１２】
＜第３の態様＞
前記スリット内の後端部に、前記下層吸収体よりも高吸収性ポリマー粒子の重量比率が低いパルプ繊維の集合体からなる流速低下体が設けられている、
第１又は２の態様の使い捨ておむつ。
【００１３】
（作用効果）
本態様のように、スリット内の後端部に流速低下体が設けられていると、スリットの後壁に向かう尿の流速が低下し、尿がスリットの後方へあふれにくくなる。このため、堰部の高さを低くし、装着時における堰部による異物感を低減することもできる。
【００１４】
＜第４の態様＞
前記上層吸収体におけるパルプ繊維に対する高吸収性ポリマー粒子の重量比率が４０〜６０％であり、
前記下層吸収体におけるパルプ繊維に対する高吸収性ポリマー粒子の重量比率が２０〜３０％であり、
前記堰部の高さが３〜５ｍｍである、
第１〜３のいずれか１つの態様の使い捨ておむつ。
【００１５】
（作用効果）
通常の場合、上層吸収体及び下層吸収体における高吸収性ポリマー粒子の重量比率、並びに堰部の高さは上記範囲内とすることが好ましい。
【００１６】
＜第５の態様＞
前記堰部の面積は、前記上層吸収体における前記スリットよりも後方部分の面積の５０％以上である、
第１〜４のいずれか１つの態様の使い捨ておむつ。
【００１７】
（作用効果）
堰部の面積が小さいと、装着時に堰部による異物感を感じやすくなったり、堰部が外力で崩れやすくなったりするため、本態様のように堰部の面積を大きくすることが好ましい。
【００１８】
＜第６の態様＞
前記堰部は、スリット配置領域の側方にも設けられている、
第１〜５のいずれか１つの態様の使い捨ておむつ。
【００１９】
（作用効果）
このように、スリット配置領域の側方にも堰部が設けられていることにより、側方への尿のあふれ漏れを効果的に防止できる。特に、スリットを堰部で囲むと、尿がスリット内に溜まりやすくなるため、尿の排泄速度及び排泄量によっては、堰部によるあふれ防止効果は低下するおそれがある。しかし、前述のように、本態様ではスリット内の尿が下層吸収体により直接的に吸収されるとともに、下層吸収体の吸収速度が上層吸収体よりも速い（高吸収性ポリマー粒子の含有比率が低い方が吸収速度が速い）ため、スリットの後方隣接部分及び側方に堰部を有することと相まって、あふれ防止効果が低下しにくく、臀部側の吸収可能量及び逆戻り防止性がより一層向上するものとなる。
なお、スリット配置領域とは、スリットが一本の場合にはそのスリットの部分を意味し、スリットが複数本ある場合には最も幅方向一方側及び他方側に位置するスリットとその間の部分を含めた領域を意味する。
【発明の効果】
【００２０】
以上のとおり本発明によれば、臀部側の吸収可能量及び逆戻り防止性を向上させた使い捨ておむつとなる、等の利点がもたらされる。
【図面の簡単な説明】
【００２１】
【図１】使い捨ておむつの展開状態の内面側を示す平面図である。
【図２】要部のみを示す平面図である。
【図３】図１のＹ−Ｙ断面図である。
【図４】図１のＸ−Ｘ断面図である。
【図５】吸収体の分解斜視図である。
【図６】吸収体の中心線に沿う断面図である。
【図７】吸収体を示す平面図である。
【図８】吸収体の中心線に沿う断面図である。
【図９】吸収体を示す平面図である。
【図１０】吸収体の中心線に沿う断面図である。
【図１１】吸収体を示す平面図である。
【図１２】吸収体の中心線に沿う断面図である。
【図１３】吸収体の分解斜視図である。
【図１４】吸収体の中心線に沿う断面図である。
【図１５】吸収体の吸収機構を概略的に示す断面図である。
【図１６】吸収体の吸収機構を概略的に示す断面図である。
【図１７】従来の吸収体を示す平面図である。
【図１８】従来の吸収体の中心線に沿う断面図である。
【図１９】従来の吸収体の吸収機構を概略的に示す断面図である。
【発明を実施するための形態】
【００２２】
以下、本発明の一実施形態について添付図面を参照しながら詳説する。なお、本発明の用語のうち「股間部」とは使用時に身体の股間と対応させる部分を意味し、製品によって、図示形態のように物品の前後方向ＬＤの中央若しくはその近傍から前側の所定部位までの範囲であったり、物品の前後方向ＬＤの中央の所定範囲であったりするものである。物品の前後方向ＬＤの中間あるいは吸収体の前後方向ＬＤの中間に幅の狭いくびれ部分を有する場合は、いずれか一方又は両方のくびれ部分の最小幅部位を前後方向ＬＤの中央とする所定の前後方向範囲を意味する。また、「前側部分（腹側部分）」は股間部よりも前側の部分を意味し、「後側部分（背側部分）」は股間部よりも後側の部分を意味する。
【００２３】
図１〜図６は、いわゆるパッドタイプの使い捨ておむつの一例を示している。この使い捨ておむつは、股間部Ｃと、その前後両側に延在する前側部分Ｆ及び後側部分Ｂとを有するものである。各部の寸法は適宜定めることができ、例えば、物品全長（前後方向ＬＤの長さ）Ｌは３５０〜７００ｍｍ程度、全幅Ｗ１は１３０〜４００ｍｍ程度（ただし、おむつの吸収面の幅より広い）とすることができ、この場合における股間部Ｃの前後方向ＬＤの長さは１０〜１５０ｍｍ程度、前側部分Ｆの前後方向ＬＤの長さは５０〜３５０ｍｍ程度、及び後側部分Ｂの前後方向ＬＤの長さは５０〜３５０ｍｍ程度とすることができる。また、股間部Ｃの幅Ｗ３は、大人用の場合、１５０ｃｍ以上、特に２００〜２６０ｃｍ程度とすることができる。
【００２４】
使い捨ておむつ２００は、液不透過性シート２１と、液透過性のトップシート２２との間に、吸収体２３Ａ，２３Ｂが介在された基本構造を有している。
【００２５】
吸収体２３Ａ，２３Ｂの裏側には、液不透過性シート２１が吸収体２３Ａ，２３Ｂの周縁より若干はみ出すように設けられている。液不透過性シート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸又は二軸方向に延伸することにより得られる微多孔性シートを用いることができる。
【００２６】
また、液不透過性シート２１の外面は、不織布からなる外装シート２７により覆われており、この外装シート２７は、所定のはみ出し幅をもって液不透過性シート２１の側縁より外側にはみ出している。外装シート２７としては各種の不織布を用いることができる。不織布を構成する素材繊維としては、ポリエチレン又はポリプロピレン等のオレフィン系、ポリエステル系、アミド系等の合成繊維の他、レーヨンやキュプラ等の再生繊維、綿等の天然繊維を用いることができる。外装シート２７は省略することもできる。
【００２７】
吸収体２３Ａ，２３Ｂの表側は、液透過性のトップシート２２により覆われている。図示形態ではトップシート２２の側縁から吸収体２３Ａ，２３Ｂが一部はみ出しているが、吸収体２３Ａ，２３Ｂの側縁がはみ出さないようにトップシート２２の幅を広げることもできる。トップシート２２としては、有孔又は無孔の不織布や穴あきプラスチックシートなどが用いられる。不織布を構成する素材繊維としては、ポリエチレン又はポリプロピレン等のオレフィン系、ポリエステル系、アミド系等の合成繊維の他、レーヨンやキュプラ等の再生繊維、綿等の天然繊維を用いることができる。
【００２８】
トップシート２２と吸収体２３Ａ，２３Ｂとの間には、中間シート２５を介在させるのが望ましい。この中間シート２５は、吸収体２３Ａ，２３Ｂにより吸収した尿の逆戻りを防止するために設けられるものであり、保水性が低く、かつ液透過性の高い素材、例えば各種の不織布やメッシュフィルム等を用いるのが望ましい。トップシート２２の前端を０％としトップシート２２の後端を１００％としたとき、中間シート２５の前端は０〜１１％の範囲に位置しているのが好ましく、中間シート２５の後端は９２〜１００％の範囲に位置しているのが好ましい。また、中間シート２５の幅Ｗ４は後述する吸収体２３Ａ，２３Ｂのくびれ部分２３ｎの最小幅Ｗ５の５０〜１００％程度であるのが好ましい。
【００２９】
パッドタイプ使い捨ておむつ２００の前後方向ＬＤの両端部では、外装シート２７及びトップシート２２が吸収体２３Ａ，２３Ｂの前後端よりも前後両側にそれぞれ延在されて貼り合わされ、吸収体２３Ａ，２３Ｂの存在しないエンドフラップ部ＥＦが形成されている。パッドタイプ使い捨ておむつ２００の両側部では、外装シート２７が吸収体２３Ａ，２３Ｂの側縁よりも外側にそれぞれ延在され、この延在部からトップシート２２の側部までの部分の内面には、立体ギャザー２４を形成するギャザーシート２４ｓの幅方向ＷＤの外側の部分２４ｘが前後方向ＬＤの全体にわたり貼り付けられ、吸収体２３Ａ，２３Ｂの存在しないサイドフラップ部ＳＦを構成している。これら貼り合わせ部分は、図１では斜線模様で示されており、ホットメルト接着剤、ヒートシール、超音波シールにより形成できる。外装シート２７を設けない場合、外装シート２７に代えて液不透過性シート２１を使い捨ておむつの側縁まで延在させ、サイドフラップ部ＳＦの外面側を形成することができる。
【００３０】
ギャザーシート２４ｓの素材としては、プラスチックシートやメルトブローン不織布のような液透過性の低い素材を使用することもできるが、肌への感触性の点で、不織布にシリコーンなどにより撥水処理をしたものが好適に使用される。
【００３１】
ギャザーシート２４ｓの幅方向ＷＤの中央側の部分２４ｃはトップシート２２上にまで延在しており、その幅方向ＷＤの中央側の端部には、細長状の弾性部材２４Ｇが前後方向ＬＤに沿って伸張状態でホットメルト接着剤等により固定されている。この弾性部材２４Ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコーン、ポリエステル等、通常使用される素材を用いることができる。
【００３２】
また、両ギャザーシート２４ｓは、幅方向ＷＤの外側の部分２４ｘが前後方向ＬＤの全体にわたり物品内面（図示形態ではトップシート２２表面及び外装シート２７内面）に貼り合わされて固定されるとともに、幅方向ＷＤの中央側の部分２４ｃが、前後方向ＬＤの両端部では物品内面（図示形態ではトップシート２２表面）に貼り合わされて固定され、かつ前後方向ＬＤの両端部間では物品内面（図示形態ではトップシート２２表面）に固定されていない。この非固定部分は、図１に示されるように、物品内面（図示形態ではトップシート２２表面）に対して弾力的に起立する漏れ防止壁となる部分であり、その起立基端２４ｂはギャザーシート２４ｓにおける幅方向ＷＤの外側の部分２４ｘと内側の部分２４ｃとの境に位置する。
【００３３】
吸収体２３Ａ，２３Ｂは、図３〜図６に示すように、下層吸収体２３Ｂと、その表側に設けられた上層吸収体２３Ａとからなる二層構造を有している。上層吸収体２３Ａ及び下層吸収体２３Ｂとしては、パルプ繊維２３ｆを基本とし、高吸収性ポリマー粒子２３ｐを混合した積繊体を用いる。
【００３４】
上層吸収体２３Ａ及び下層吸収体２３Ｂに含有される高吸収性ポリマー粒子２３ｐとしては、この種の吸収性物品に使用されるものをそのまま使用でき、例えば上層吸収体２３Ａ及び下層吸収体２３Ｂに同じ粒度分布の高吸収性ポリマー粒子を用いる場合等、通常の場合には、５００μｍの標準ふるい（ＪＩＳ Ｚ８８０１−１：２００６）を用いたふるい分け（５分間の振とう）、及びこのふるい分けふるい下に落下する粒子について１８０μｍの標準ふるい（ＪＩＳ Ｚ８８０１−１：２００６）を用いたふるい分け（５分間の振とう）を行ったときに、５００μｍの標準ふるい上に残る粒子の割合が３０重量％以下で、１８０μｍの標準ふるい上に残る粒子の割合が６０重量％以上のものが望ましい。また、上層吸収体２３Ａ及び下層吸収体２３Ｂに異なる粒度分布の高吸収性ポリマー粒子を用いることもできる。この場合、上層吸収体２３Ａに用いる高吸収性ポリマー粒子の粒度分布は、上述の５００μｍ及び１８０μｍの標準ふるいを用いたふるい分けを行ったときに、５００μｍの標準ふるい上に残る粒子の割合が５０重量％以下で、１８０μｍの標準ふるい上に残る粒子の割合が５０重量％以上のものが望ましく、下層吸収体２３Ｂに用いる高吸収性ポリマー粒子の粒度分布は、上述の５００μｍ及び１８０μｍの標準ふるいを用いたふるい分けを行ったときに、５００μｍの標準ふるい上に残る粒子の割合が２５重量％以下で、１８０μｍの標準ふるい上に残る粒子の割合が７０重量％以上のものが望ましい。
【００３５】
高吸収性ポリマー粒子２３ｐとしては、特に限定されるものではないが、吸水速度が２０〜５０秒で、吸水量５０〜８０ｇ／ｇのものを好適に用いることができる。高吸収性ポリマー粒子２３ｐとしては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。
【００３６】
上層吸収体２３Ａ及び下層吸収体２３Ｂは、必要に応じて形状及び高吸収性ポリマー粒子２３ｐ保持等のため、一体的又は個別に、クレープ紙等の、液透過性及び液保持性を有する包装シート２６により包むことができる。
【００３７】
上層吸収体２３Ａ及び下層吸収体２３Ｂは、それぞれ前側部分Ｆから後側部分Ｂにかけて延在される。上層吸収体２３Ａは下層吸収体２３Ｂと同じ寸法とすることもできるが、図示形態のように上層吸収体２３Ａの全長及び全幅は下層吸収体２３Ｂのそれよりも短いことが望ましい。通常の場合、上層吸収体２３Ａの全長は下層吸収体２３Ｂの全長の６０〜９０％程度とすることができ、上層吸収体２３Ａの全幅は下層吸収体２３Ｂの全幅の６０〜９０％程度とすることができる。
【００３８】
上層吸収体２３Ａ及び下層吸収体２３Ｂの総目付け（パルプ繊維及び高吸収性ポリマー粒子の合計）は適宜定めることができるが、通常の場合、上層吸収体２３Ａの総目付けは３５０〜７００ｇ／ｍ2であることが好ましく、下層吸収体２３Ｂの総目付けは２５０〜４５０ｇ／ｍ2であることが好ましい。上層吸収体２３Ａの厚み（後述する堰部を除く）及び下層吸収体２３Ｂの厚みは、それぞれの全体にわたり均一としてもよく、また前後方向ＬＤ及び幅方向ＷＤの少なくとも一方の方向に変化してもよい。
【００３９】
上層吸収体２３Ａ及び下層吸収体２３Ｂの形状は適宜定めることができ、それぞれ長方形状とすることもできるが、少なくとも大きい方の吸収体２３Ａ，２３Ｂ（図示例では下層吸収体２３Ｂ）は、股間部Ｃを含む前後方向中間の所定部分が幅の狭いくびれ部分２３ｎとして形成されていると好ましい。このくびれ部分２３ｎの最小幅Ｗ５は、全幅Ｗ２（くびれ部分２３ｎの前後に位置する非くびれ部分の幅）の５０〜６５％程度であるのが好ましい。また、物品前端を０％とし物品後端を１００％としたとき、くびれ部分２３ｎの前端は１０〜２５％の範囲に位置しているのが好ましく、くびれ部分２３ｎの後端は４０〜６５％の範囲に位置しているのが好ましく、くびれ部分２３ｎの最小幅Ｗ５となる部位（最小幅部位）は２５〜３０％の範囲に位置しているのが好ましい。
【００４０】
図１及び図２に示す例では、上層吸収体２３Ａにのみ少なくとも股間部Ｃと対応する前後方向領域に、左右一対の所定幅のスリット４０が前後方向ＬＤに延在されている。このように、下層吸収体２３Ｂには所定幅のスリット４０を設けない形態（この場合、下層吸収体２３Ｂには幅の無い切れ目を有していても良い）とする他、図１３及び図１４に示すように上層吸収体２３Ａ及び下層吸収体２３Ｂを厚み方向に貫通する一体的なスリット４０を形成してもよい。
【００４１】
図４に示す例のように、トップシート２２は上層吸収体２３Ａのスリット４０内に落ち込んだ落ち込み部分を有していることが好ましい。図示形態では、トップシート２２と上層吸収体２３Ａとの間に中間シート２５と包装シート２６の表側部分が存在するため、これら中間シート２５及び包装シート２６の表側部分もトップシート２２とともに、スリット４０内に落ち込むこととなる。中間シート２５は省略することもできる。
【００４２】
スリット４０は股間部Ｃに設けられている限り、その前後方向ＬＤの長さ４０Ｌは特に限定されず、したがって上層吸収体２３Ａの前後方向ＬＤの全体にわたり設けることもできるが、図示形態のように前側部分Ｆの股間側端部から後側部分Ｂの股間側端部まで延在させることが望ましい。また、図示しないが、スリット４０の後側の部分を幅方向ＷＤの外側に向かうように曲げることもできる（前側も同様に曲げることができる）。より具体的には、使い捨ておむつ２００の前端を０％とし、使い捨ておむつ２００の後端を１００％としたとき、スリット４０の前端は１５〜３０％の範囲に位置しているのが好ましく、スリット４０の後端は４０〜７０％の範囲に位置しているのが好ましい。
【００４３】
図示形態の上層吸収体２３Ａでは、スリット４０の前後端は上層吸収体２３Ａの周縁に突き抜けていないが、後端（前端又は両端でもよい）を周縁に達するようにしてもよい。なお、スリット４０の前後両端が上層吸収体２３Ａの側縁に達する形態では、スリット４０よりも側方の部分はスリット４０間の部分とは別体となる。
【００４４】
スリット４０の本数は特に限定されず、幅方向ＷＤに間隔を空けて複数本（図示例では左右両側に各１本）設けるほか、幅方向ＷＤの中央に一本設けてもよい。スリット４０の幅方向ＷＤの位置は左右対称となることが好ましい。パッドタイプ使い捨ておむつは、吸収体２３Ａ，２３Ｂの幅が装着者の股間幅よりも広く、股間部Ｃの幅方向両端部は装着者の内腿に対向する部分となり、幅方向ＷＤの中間部が股間と対向する部分となる形態が一般的であるため、これらの部分の境界に沿ってスリット４０を設けることが望ましい。このため、スリット４０の間隔４０Ｄは、通常の場合、吸収体２３Ａ，２３Ｂのくびれ部分２３ｎの最小幅Ｗ５の１０〜３０％程度であるのが好ましい。
【００４５】
スリット４０の幅４０Ｗは、対向する側壁が離間している限り特に限定されないが、通常の場合、吸収体２３Ａ，２３Ｂのくびれ部分２３ｎの最小幅Ｗ５の１０〜２０％程度とすることが望ましく、具体的に大人用製品の場合５〜３２ｍｍ程度とすることができる。
【００４６】
以上のように構成された使い捨ておむつ２００では、トップシート２２におけるスリット４０の間に位置する領域は、排尿位置となるか、又は排尿位置の後方に位置し、股間側へ向かう傾斜により多くの尿が供給される位置である。
【００４７】
特徴的には、図１〜図６に示す例、図７及び図８に示す例、図９及び図１０に示す例、図１１及び図１２に示す例、並びに図１３及び図１４に示す例では、吸収体２３Ａ，２３Ｂにおけるスリット４０の後方隣接部分に、スリット４０の前方隣接部分よりも高い堰部３０が設けられている。堰部３０の高さ３０ｈ（スリット４０の後方隣接部分の厚みと、スリット４０の前方隣接部分の厚みとの差）は適宜定めることができるが、堰部３０が低すぎるとあふれ防止効果に乏しく、高すぎると装着感が悪化するため３〜１５ｍｍであると好ましく、３〜５ｍｍである特に好ましい。また、堰部３０の高さは、堰部３０の全体にわたり均一としてもよく、また前後方向ＬＤ及び幅方向ＷＤの少なくとも一方の方向に変化してもよい。これらの点は、後述する側方の堰部３１についても基本的に同様である。
【００４８】
堰部３０は、上層吸収体２３Ａの吸収体型に堰部形成用の凹部を形成し、上層吸収体２３Ａの製造時に上層吸収体２３Ａの一部として一体的に形成することができる。また、堰部３０は、上層吸収体２３Ａの吸収体型に堰部形成用の凹部を形成せずに、製造後の上層吸収体２３Ａにおける堰部３０となる部分以外を厚み方向に圧縮して、スリット４０の後方隣接部分を突出させることにより、上層吸収体２３Ａの一部として一体的に形成することもできる。この他にも、別途製造した上層吸収体２３Ａ等と同様のパルプ繊維集合体や不織布を上層吸収体２３Ａにおけるスリット４０の後方隣接部分上に積層することにより堰部３０を形成してもよい。堰部３０を上層吸収体２３Ａの一部として形成する場合には、堰部３０におけるパルプ繊維に対する高吸収性ポリマー粒子の重量比率は上層吸収体２３Ａと同様になり、製造も容易であるのに対し、別体として形成する場合には、堰部専用の設計が可能となるものの、製造工程が増加する。
【００４９】
また、特徴的には、上層吸収体２３Ａにおけるパルプ繊維に対する高吸収性ポリマー粒子の重量比率が、下層吸収体２３Ｂにおけるパルプ繊維に対する高吸収性ポリマー粒子の重量比率よりも高くなっている。上層吸収体２３Ａ及び下層吸収体２３Ｂにおける高吸収性ポリマー粒子の重量比率の差は適宜定めることができるが、通常の場合、上層吸収体２３Ａにおけるパルプ繊維に対する高吸収性ポリマー粒子の重量比率が４０〜６０％であり、下層吸収体２３Ｂにおけるパルプ繊維に対する高吸収性ポリマー粒子の重量比率が２０〜３０％であると好ましい。
【００５０】
図１〜図６に示す例、図７及び図８に示す例、図９及び図１０に示す例、図１１及び図１２に示す例、並びに図１３及び図１４に示す例のように堰部３０が設けられていると、図６、図８、図１０、図１２及び図１４にそれぞれ白抜き矢印で示すように、スリット４０内の尿が障壁なく後方へ流下し、スリット４０の後部に集中したとしても、スリット４０の後方隣接部分に堰部３０が設けられているため、尿がスリット４０内から臀部側へあふれ出にくくなる。ただし、スリット４０内の尿の吸収速度が上層吸収体２３Ａよりも下層吸収体２３Ｂの方が遅いと、尿がスリット４０内に溜まりやすくなるため、このような状況下ではスリット４０後方に高い堰部３０を設けたとしても、あふれ防止効果は低下する。これに対して、上層吸収体２３Ａにおけるパルプ繊維に対する高吸収性ポリマー粒子の重量比率が、下層吸収体２３Ｂにおけるパルプ繊維に対する高吸収性ポリマー粒子の重量比率よりも高くなっていると、スリット４０内の尿が下層吸収体２３Ｂにより直接的に吸収されるとともに、下層吸収体２３Ｂの吸収速度が上層吸収体２３Ａよりも速い（高吸収性ポリマー粒子の含有比率が低い方が吸収速度が速い）ため、スリット４０の後方隣接部分に堰部３０を有することと相まって、あふれ防止効果が低下しにくく、臀部側の吸収可能量及び逆戻り防止性がより一層向上するものとなる。
【００５１】
また、図１５及び図１６に示すように、下層吸収体２３Ｂにおけるパルプ繊維２３ｆに対する高吸収性ポリマー粒子２３ｐの重量比率が上層吸収体２３Ａのそれよりも低いと、上層吸収体２３Ａよりもゲルブロッキングが生じにくく排泄物の液分が下層吸収体２３Ｂ内でより広範囲に拡散する。図中、液分の移動が矢印で示されている。そして下層吸収体２３Ｂに吸収された液分は、少なくとも下層吸収体２３Ｂの吸収飽和後には、上層吸収体２３Ａに吸い上げられるようにして上層吸収体２３Ａに移行するようになり、上層吸収体２３Ａに吸収保持される。このとき、上層吸収体２３Ａはパルプ繊維２３ｆに対する高吸収性ポリマー粒子２３ｐの重量比率が高く、より多量の液分を吸収保持できるとともに、下層吸収体２３Ｂが優先的に吸収を行うため、上層吸収体２３Ａの表側（肌側）には最後まで吸収余力が残されることになる。その結果、逆戻り防止性に一段と優れたものとなる。なお、いうまでもないが、図１５及び図１６では、高吸収性ポリマー粒子２３ｐの含有比率や吸収膨張変化を分かりやすくするために、高吸収性ポリマー粒子２３ｐの大きさを誇張して示している。
【００５２】
このような吸収メカニズムを考慮すると、下層吸収体２３Ｂに含まれる高吸収性ポリマー粒子２３ｐは液透過性に優れるもの、具体的には吸収速度が２０〜３５秒かつ吸収量が５０〜７０ｇ／ｇであるものが好ましく、上層吸収体２３Ａに含まれる高吸収性ポリマー粒子２３ｐは吸収量が多いもの、具体的には吸収速度が６０〜８０秒かつ吸収量が５０〜８０ｇ／ｇであるものが好適である。
【００５３】
他方、図１〜図６に示す例、図７及び図８に示す例、図９及び図１０に示す例、並びに図１１及び図１２に示す例のようにスリット４０が上層吸収体２３Ａのみに形成され、下層吸収体２３Ｂにはスリット４０と重なる領域にスリット又は凹部を有しない形態は、図１３及び図１４に示す例のように下層吸収体２３Ｂまでスリット４０を有する形態と比較して、より多くの吸収量を確保する点では好ましい。しかし、このようにスリット４０の深さが上層吸収体２３Ａの厚さのみで決まる場合、スリット４０の深さが浅くなりやすいため、前述のように、スリット４０の後方隣接部分に堰部３０を設けるとともに、下層吸収体２３Ｂにおける高吸収性ポリマー粒子の重量比率を上層吸収体２３Ａのそれよりも低くすることが好ましい。
【００５４】
堰部３０は、図７及び図８に示す例、図１１及び図１２に示す例、図１３及び図１４に示す例のように各スリット４０に一つ設ける他、図１〜図６に示す例、並びに図９及び図１０に示す例のようにすべてのスリット４０に対して一つ設けることもできる。堰部３０の幅３０Ｗは適宜定めればよいが、堰き止め効果等の観点から十分に広いことが好ましいため、各スリット４０に一つの堰部３０を設ける形態では一つのスリット４０の後端部の幅４０Ｗの１〜６倍とすることが好ましい。また、すべてのスリット４０に対して一つの堰部３０設ける形態ではスリット配置領域（スリット４０が複数本ある場合には最も幅方向ＷＤの一方側及び他方側に位置するスリット４０とその間の部分を含めた領域）の幅４０Ｘの１倍以上、特に１．５倍以上で、かつ吸収体２３Ａ，２３Ｂの全幅Ｗ２の０．５〜１倍とすることが好ましい。各スリット４０に一つ堰部３０を設ける形態は、上層吸収体２３Ａ上の前後方向ＬＤの尿の流れを比較的に阻害しないため、横漏れを助長するおそれが少ない。これに対し、すべてのスリット４０に対して一つの堰部３０設ける形態で、堰部３０が吸収体２３Ａ，２３Ｂの幅方向ＷＤの全体にわたり延びていると、上層吸収体２３Ａ上の前後方向ＬＤの尿の流れが阻害されることにより横漏れしやすくなるおそれがある。よって、堰部３０の幅は上記範囲内とすることが好ましい。
【００５５】
堰部３０の面積は適宜定めればよいが、堰部３０の面積が小さいと、装着時に堰部３０による異物感を感じやすくなったり、堰部３０が外力で崩れやすくなったりする。よって、堰部３０の面積は、上層吸収体２３Ａにおけるスリット４０よりも後方部分の面積の５０％以上であると好ましく、８０％以上であるとより好ましい。具体的な寸法としては、一つの堰部３０の幅方向ＷＤの寸法３０Ｗは１００〜１５０ｍｍであることが好ましく、堰部３０の前後方向ＬＤの寸法３０Ｌは１３０〜１５０ｍｍであることが好ましい。
【００５６】
堰部３０は、図９及び図１０に示す例、図１１及び図１２に示す例、並びに図１３及び図１４に示す例のように、スリット４０の後方隣接部分に設けられているだけでもよいが、図１〜図６に示す例、並びに図７及び図８に示す例のように、スリット配置領域（スリット４０が一本の場合にはそのスリット４０の部分を意味し、スリット４０が複数本ある場合には最も幅方向ＷＤの一方側及び他方側に位置するスリット４０とその間の部分を含めた領域）の側方にも堰部３１が設けられていると、側方への尿のあふれ漏れを効果的に防止できる。スリット４０の後方隣接部分に設けられる堰部３０と、スリット配置領域の側部に設けられる堰部３１とは図示例では繋がっている又は接しているが、離間していてもよい。スリット配置領域の側部に設けられる堰部３１の寸法は適宜定めればよいが、堰部３１の幅はスリット４０の後端部の幅４０Ｗの１〜２倍とすることが好ましく、堰部３１の前後方向ＬＤの寸法３１Ｌは、スリット４０の前後方向ＬＤの長さ４０Ｌの０．６〜１倍とすることが好ましく、堰部３１はスリット４０の後端と同位置から前方に延びていることが好ましい。
【００５７】
他方、図１１及び図１２に示す例のように、スリット４０内の後端部に、下層吸収体２３Ｂよりも高吸収性ポリマー粒子の重量比率が低いパルプ繊維の集合体からなる流速低下体４１が設けられているのは一つの好ましい形態である。この流速低下体４１により、スリット４０の後壁に向かう尿の流速が低下し、尿がスリット４０の後方へあふれにくくなる。このため、堰部３０の高さを低くし、装着時における堰部３０による異物感を低減することもできる。流速低下体４１としては、密度が１００〜３００ｇ／ｍ3程度のパルプ繊維のみの繊維集合体や、密度が１８〜２４ｇ／ｍ3程度のエアレイド不織布を好適に用いることができる。
【００５８】
＜明細書中の用語の説明＞
明細書中で以下の用語が使用される場合、明細書中に特に記載が無い限り、以下の意味を有するものである。
・「前後（縦）方向」とは腹側（前側）と背側（後側）を結ぶ方向を意味し、「幅方向」とは前後方向と直交する方向（左右方向）を意味する。
・「展開状態」とは、収縮や弛み無く平坦に展開した状態を意味する。
・「伸長率」は、自然長を１００％としたときの値を意味する。
・「目付け」は次のようにして測定されるものである。試料又は試験片を予備乾燥した後、標準状態（試験場所は、温度２３±１℃、相対湿度５０±２％）の試験室又は装置内に放置し、恒量になった状態にする。予備乾燥は、試料又は試験片を温度１００℃の環境で恒量にすることをいう。なお、公定水分率が０．０％の繊維については、予備乾燥を行わなくてもよい。恒量になった状態の試験片から、試料採取用の型板(１００ｍｍ×１００ｍｍ)を使用し、１００ｍｍ×１００ｍｍの寸法の試料を切り取る。試料の重量を測定し、１０倍して１平米あたりの重さを算出し、目付けとする。
・吸収体の「厚み」は、株式会社尾崎製作所の厚み測定器（ピーコック、ダイヤルシックネスゲージ大型タイプ、型式Ｊ−Ｂ（測定範囲０〜３５ｍｍ）又は型式Ｋ−４（測定範囲０〜５０ｍｍ））を用い、試料と厚み測定器を水平にして、測定する。
・上記以外の「厚み」は、自動厚み測定器（ＫＥＳ−Ｇ５  ハンディ圧縮計測プログラム）を用い、荷重：０．０９８Ｎ／ｃｍ2、及び加圧面積：２ｃｍ2の条件下で自動測定する。
・吸水量は、ＪＩＳ  Ｋ７２２３−１９９６「高吸水性樹脂の吸水量試験方法」によって測定する。
・吸水速度は、２ｇの高吸収性ポリマー及び５０ｇの生理食塩水を使用して、ＪＩＳ  Ｋ７２２４‐１９９６「高吸水性樹脂の吸水速度試験法」を行ったときの「終点までの時間」とする。
・試験や測定における環境条件についての記載が無い場合、その試験や測定は、標準状態（試験場所は、温度２３±１℃、相対湿度５０±２％）の試験室又は装置内で行うものとする。
・各部の寸法は、特に記載が無い限り、自然長状態ではなく展開状態における寸法を意味する。
【産業上の利用可能性】
【００５９】
本発明は、上記例のようなパッドタイプ使い捨ておむつの他、いわゆるテープタイプ使い捨ておむつやパンツタイプ使い捨ておむつ等、使い捨ておむつ全般に利用できるものである。
【符号の説明】
【００６０】
Ｂ…後側部分、Ｃ…股間部、Ｆ…前側部分、２１…液不透過性シート、２２…トップシート、２３Ａ，２３Ｂ…吸収体、２３Ａ…上層吸収体、２３Ｂ…下層吸収体、２４…立体ギャザー、２４ｓ…ギャザーシート、２５…中間シート、２６…包装シート、２７…外装シート、３０…堰部、４０…スリット、４１…流速低下体。
【図１】
2019024931.tif 000003
【図２】
2019024931.tif 000004
【図３】
2019024931.tif 000005
【図４】
2019024931.tif 000006
【図５】
2019024931.tif 000007
【図６】
2019024931.tif 000008
【図７】
2019024931.tif 000009
【図８】
2019024931.tif 000010
【図９】
2019024931.tif 000011
【図１０】
2019024931.tif 000012
【図１１】
2019024931.tif 000013
【図１２】
2019024931.tif 000014
【図１３】
2019024931.tif 000015
【図１４】
2019024931.tif 000016
【図１５】
2019024931.tif 000017
【図１６】
2019024931.tif 000018
【図１７】
2019024931.tif 000019
【図１８】
2019024931.tif 000020
【図１９】
2019024931.tif 000021